(57)【要約】【課題】  インプラント埋設手術において、ドリルを保持するためのドリル用ガイドチューブを植設した手術ホルダーを熱可塑性合成樹脂により成形する場合に、該手術ホルダーに強固に植設され、ドリル操作時に該ドリルを確実に保持することのできるドリル用ガイドチューブを提供することを課題とする。【解決手段】  軸心上に丸孔を貫通した両端開口の円筒体であって、上記円筒体の外周面に、多数の凹凸を形成した、ドリル用ガイドチューブ。【選択図】    図１
0003120017.tif 000002
【実用新案登録請求の範囲】
【請求項１】
軸心上に丸孔を貫通した両端開口の円筒体であって、上記円筒体の外周面に、多数の凹凸を形成した、ドリル用ガイドチューブ。
【請求項２】
上記ドリル用ガイドチューブの丸孔内に軸方向へ摺動自在に嵌脱可能の丸棒体であって、上記丸棒体の外周面の少くとも植設されるべき部分に多数の凹凸を形成した、チューブ用ガイドピン。
【請求項３】
上記ドリル用ガイドチューブの丸孔内に軸方向へ摺動自在に嵌脱可能の丸棒体であって、上記丸棒体の外周面の少くとも埋設されるべき部分に連続らせん溝を形成した、チューブ用ガイドピン。
【請求項４】
上記請求項３における丸棒体の先端に、該丸棒体の外径よりもやや小径の掘削径を有する掘削ヘッドを突設した、チューブ用ガイドピン。
【考案の詳細な説明】
【技術分野】
【０００１】
本考案は、インプラント（人工歯根）を歯骨に埋設する方法において、ドリルを歯骨に向けて適正位置で適正方向にガイドするためのドリル用ガイドチューブ、及び上記ガイドチューブを口腔内で固定部材に所定位置で所定方向に向けて取りつけるためのチューブ用ガイドピンに関する。
【背景技術】
【０００２】
本考案者は、さきに、新たなインプラント埋設方法を開発した。それは、まず、印象剤を用いて患者の歯欠損部を含む歯肉全体の印象雌型を採り、該雌型により石膏歯肉模型をつくる。次に、上記石膏歯肉模型の歯欠損部に、適正位置及び適正方向の穴をあけ、該穴に金属製のガイドピンの基部を接着剤を注入して植設する。次に、上記ガイドピンにドリル用ガイドチューブを挿脱自在に被嵌し、その状態で、上記歯肉模型を成形型として熱可塑性合成樹脂材料にて加熱真空成型を行い、樹脂硬化後、成型品を離型すると、上記ガイドピンから離脱したチューブを適正位置、適正方向に埋設した手術ホルダーが得られる。このようにして得られた手術ホルダーを患者の歯肉に被嵌固定し、そのガイドチューブからドリルを挿入して歯肉から歯骨に穿孔し、該孔からネジ（インプラント）を歯骨に螺入固定する方法であった。    
【０００３】
しかし、上記方法においては、上記石膏歯肉模型の孔にガイドピンを接着剤を用いて植設する場合、使用するガイドピンが表面平滑な金属丸棒であるため、強固な固定が得にくく、時にはずれ動くこともあってガイドピンの位置、方向に誤差を生じることがあった。
【０００４】
又、ドリル用ガイドチューブも同じく表面平滑な金属円筒であるため、これに挿通したドリルの回転振動によりゆるみが生じ、遂には手術ホルダーから離脱する危険があった。
【考案の開示】
【考案が解決しようとする課題】
【０００５】
本願第１考案は、手術ホルダーに強固に固定され、ドリルを確実にガイドすることのできるドリル用ガイドチューブを提供することを課題とする。
【０００６】
本願第２考案は、石膏歯肉模型に強固に固定され、上記ドリル用ガイドチューブを手術ホルダーの所定位置、所定方向に確実に埋設することのできるチューブ用ガイドピンを提供することを課題とし、
【０００７】
本願第３及び第４考案は、石膏歯肉模型に螺入することにより、さらに強固に固定されるチューブ用ガイドピンを提供することを課題とする。
【課題を解決するための手段】
【０００８】
そこで、本願第１考案は、
軸心上に丸孔を貫通した両端開口の円筒体であって、上記円筒体の外周面に、多数の凹凸を形成した、ドリル用ガイドチューブを提案する。
【０００９】
本願第２考案は、
上記ドリル用ガイドチューブの丸孔内に軸方向へ摺動自在に嵌脱可能の丸棒体であって、上記丸棒体の外周面の少くとも植設されるべき部分に多数の凹凸を形成した、チューブ用ガイドピンを提案し、
【００１０】
又、本願第３考案は、
上記ドリル用ガイドチューブの丸孔内に軸方向へ摺動自在に嵌脱可能の丸棒体であって、上記丸棒体の外周面の少くとも埋設されるべき部分に連続らせん溝を形成した、チューブ用ガイドピンを提案し、
【００１１】
さらに、本願第４考案は、
上記第３考案における丸棒体の先端に、該丸棒体の外径よりもやや小径の掘削径を有する掘削ヘッドを突設した、チューブ用ガイドピンを提案する。
【考案の効果】
【００１２】
本願第１考案のドリル用ガイドチューブによれば、合成樹脂製手術ホルダーに埋設されたとき、該チューブ外周面の多数の凹凸面で手術ホルダーの合成樹脂に密着し、それにより手術ホルダーに強固に固定され、ドリルを確実にガイドすることができるのである。
【００１３】
本願第２考案のチューブ用ガイドピンによれば、これを石膏歯肉模型の所定穴内に接着剤を用いて植設したとき、該ガイドピン外周面の多数の凹凸に接着剤が食いこんで石膏歯肉模型に強固に固定され、それによりドリル用ガイドチューブを適正位置、適正方向に保持して、手術ホルダー成形時に該ドリル用ガイドチューブを手術ホルダーの適正位置、適正方向に埋設することができる。
【００１４】
本願第３考案のチューブ用ガイドピンによれば、石膏歯肉模型に、本案ガイドピンの外径よりやや小径の穴をあけておけば、該穴に本案ガイドピンを回転させて圧入することにより、その連続らせん溝を上記穴の内壁面に螺合して密着させ、それにより本案ガイドピンを接着剤なしで強固に植設することができる。
【００１５】
本願第４考案のチューブ用ガイドピンによれば、石膏歯肉模型に予め穴をあけることなしに、本案ガイドピンを回転させて押圧することにより、その掘削ヘッドにより穴を掘削しつつ該掘削穴内壁面に連続らせん溝を螺合密着させ、それにより本案ガイドピンを強固に植設することができるのである。
【実施例】
【００１６】
第１考案の実施例
図（イ）、（ロ）に示すドリル用ガイドチューブ（１）は、チタン、チタン合金、ステンレス鋼、セラミックス等からなり、軸心上に丸孔（２）を貫通した両端開口の円筒体で、その外周面全面に、ローレット加工により多数本のナナコ状溝（３）…を施して凹凸を形成してある。一例として、チタン製のもので、長さ５ｍｍ、外径が２．６ｍｍ、内径２．１ｍｍである。
【００１７】
本例のガイドチューブ（１）を、熱可塑性合成樹脂の手術ホルダー成形時に該ホルダーに埋設すると、該チューブ（１）外周面のナナコ状溝（３）…に合成樹脂が食いこんで密着し、それにより該チューブ（１）が強固に固定される。
【００１８】
同図（ハ）の他の実施例は、チューブ（１ａ）の外周面に多数のスポット状凹み（３ａ）…を設けて凹凸面を形成してある。
【００１９】
同図（ニ）のさらに他の実施例は、チューブ（１ｂ）の外周面に、該外周をめぐる多数本の環状溝（３ｂ）…を等間隔をあけて設けてある。チューブ（１ｂ）の開口端面は、内方へ下向き傾斜する傾斜端面（４ｂ）に形成し、それによりドリルの挿入を容易にしている。
【００２０】
同図（ホ）の別の実施例は、チューブ（１ｃ）の外周面に、連続するらせん状溝（３ｃ）を設けた例である。
【００２１】
第２考案の実施例
図２（イ）に示すチューブ用ガイドピン（５）はチタン、チタン合金、ステンレス鋼、セラミックス等からなり、上記ドリル用ガイドチューブの丸孔内に軸方向摺動自在に挿脱できる丸棒体で、本例では、その約２分の１長の外周面に、ローレット加工により多数本のナナコ状溝（６）…を施して凹凸面に形成してある。一例として、チタン製のもので、長さ１０ｍｍ、直径２．０４ｍｍである。
【００２２】
本例のガイドピン（５）のナナコ状溝（６）…つき基部を、石膏歯肉模型の適正位置に適正方向で予め穿った穴に接着剤を付して挿入し、該接着剤が硬化すると、上記溝（６）…に接着剤が食いこんで、ガイドピン（５）を強固に固定する。
【００２３】
同図（ロ）の他の実施例は、ピン（５ａ）の約半体外周面に多数のスポット状凹み（６ａ）…を設けてある。
【００２４】
同図（ハ）のさらに他の実施例は、ピン（５ｂ）の約半体外周面に多数本の環状溝（６ｂ）…を等間隔をあけて設けてある。
【００２５】
同図（ニ）の別の実施例は、ピン（５ｃ）の約半体外周面に多数本の環状溝（６ｃ）…を単位長さの等間隔をあけて設けてある。本例によれば、石膏歯肉模型に穿った穴にピン（５ｃ）を植設する際、上記溝（６ｃ）…を、植設深さを検知する目盛として利用できる。
【００２６】
第３考案の実施例
図３（イ）に示すチューブ用ガイドピン（５ｄ）は、その約半体外周面に、小ピッチの連続らせん状溝（６ｄ）を施し、該溝（６ｄ）を谷とする雄ネジを兼ねるものとした例である。（７ｄ）はピン（５ｄ）の頭部に設けたドライバー溝である。
【００２７】
使用においては、石膏歯肉模型の適正位置に、上記ピン（５ｄ）の外径よりもやや小径の穴を穿ち、該穴に、接着剤を用いずに、溝（６ｄ）部分を雄ネジとして螺入する。螺入は、上記溝（７ｄ）に係止したドライバーの回し操作によって行う。
【００２８】
第４考案の実施例
図３（ロ）に示すチューブ用ガイドピン（５ｅ）は、その約半体外周面に、雄ネジを兼ねる小ピッチの連続らせん状溝（６ｅ）を設けると共に、そのらせん溝（６ｅ）がわ先端に、一例として上記らせん溝（６ｅ）の谷径と同一の掘削径を有する掘削ヘッド（８ｅ）を突設してある。掘削ヘッド（８ｅ）は、一例として、円錐体の円錘面に複数のエッジを形成したものである。
【００２９】
使用においては、上記溝（７ｅ）に係止したドライバーの回し操作により、石膏歯肉模型の適正位置に直接掘削ヘッド（８ｅ）により穴を掘削しつつ該穴内にらせん溝（６ｅ）部分（雄ネジ部分）を螺入していくのである。
【図面の簡単な説明】
【００３０】
【図１】（イ）本願第１考案の実施例の正面図である。（ロ）同上平面図である。（ハ）他の実施例の正面図である。（ニ）さらに他の実施例の一部切欠正面図である。（ホ）別の実施例の正面図である。
【図２】（イ）本願第２考案の実施例の正面図である。（ロ）他の実施例の正面図である。（ハ）さらに他の実施例の正面図である。（ニ）別の実施例の正面図である。
【図３】（イ）本願第３考案の実施例の正面図である。（ロ）本願第４考案の実施例の正面図である。
【符号の説明】
【００３１】
１、１ａ、１ｂ、１ｃ  ドリル用ガイドチューブ
３  ナナコ状溝
３ａ  スポット状凹み
３ｂ  環状溝
３ｃ  らせん状溝
５、５ａ、５ｂ、５ｃ、５ｄ、５ｅ  チューブ用ガイドピン
６  ナナコ状溝
６ａ  スポット状凹み
６ｂ、６ｃ  環状溝
６ｄ、６ｅ  らせん状溝
８ｅ  掘削ヘッド
【図１】
0003120017.tif 000003
【図２】
0003120017.tif 000004
【図３】
0003120017.tif 000005
【手続補正書】
【提出日】平成18年1月13日(2006.1.13)
【手続補正１】
【補正対象書類名】実用新案登録請求の範囲
【補正対象項目名】請求項２
【補正方法】変更
【補正の内容】
【請求項２】
上記請求項１に記載されたドリル用ガイドチューブよりも長く且つ該ドリル用ガイドチューブの丸孔内に軸方向へ摺動自在に嵌脱可能の丸棒体であって、上記丸棒体の外周面の少くとも石膏歯肉模型に植設されるべき部分に多数の凹凸を形成した、チューブ用ガイドピン。
【手続補正２】
【補正対象書類名】実用新案登録請求の範囲
【補正対象項目名】請求項３
【補正方法】変更
【補正の内容】
【請求項３】
上記請求項１に記載されたドリル用ガイドチューブよりも長く且つ該ドリル用ガイドチューブの丸孔内に軸方向へ摺動自在に嵌脱可能の丸棒体であって、上記丸棒体の外周面の少くとも石膏歯肉模型に植設されるべき部分に連続らせん溝を形成した、チューブ用ガイドピン。
【手続補正３】
【補正対象書類名】実用新案登録請求の範囲
【補正対象項目名】請求項４
【補正方法】変更
【補正の内容】
【請求項４】
上記請求項３における丸棒体の先端に、さらに該丸棒体の外径よりもやや小径の掘削径を有する掘削ヘッドを突設した、請求項３に記載のチューブ用ガイドピン。
【手続補正４】
【補正対象書類名】明細書
【補正対象項目名】０００９
【補正方法】変更
【補正の内容】
【０００９】
本願第２考案は、
上記第１考案におけるドリル用ガイドチューブよりも長く且つ該ドリル用ガイドチューブの丸孔内に軸方向へ摺動自在に嵌脱可能の丸棒体であって、上記丸棒体の外周面の少くとも石膏歯肉模型に植設されるべき部分に多数の凹凸を形成した、チューブ用ガイドピンを提案し、
【手続補正５】
【補正対象書類名】明細書
【補正対象項目名】００１０
【補正方法】変更
【補正の内容】
【００１０】
又、本願第３考案は、
上記第１考案におけるドリル用ガイドチューブよりも長く且つ該ドリル用ガイドチューブの丸孔内に軸方向へ摺動自在に嵌脱可能の丸棒体であって、上記丸棒体の外周面の少くとも石膏歯肉模型に植設されるべき部分に連続らせん溝を形成した、チューブ用ガイドピンを提案し、